(57)【要約】      （修正有）【課題】オーディオプレーヤ携帯電話機、携帯パソコン、動画再生端末機等の携帯端末側面の厚さと巾の異なる両側面を、挟止保持することができる携帯端末用クリップ型スタンドを提供する。【解決手段】携帯端末１用クリップ型スタンド本体２の弾性力を生じさせる屈曲弾力部４に対向する端に向かって、携帯端末１両側面端縁を挟止保持する板状横長両挟止脚３、３ａを設けたその上部両先端部に、互いに向き合い咬み合い折り重なるよう構成された両鉤部５、５ａを設けたクリップ型スタンド本体２の両挟止脚３、３ａ先端部に設けた両鉤部５、５ａを開き、携帯端末１両側面端縁を両鉤部５、５ａで挟止保持できる携帯端末１用クリップ型スタンド本体２を構成する。【選択図】図５
0003166290.tif 000002
【実用新案登録請求の範囲】
【請求項１】
弾力性あるプラスチック、金属、合成ゴム等適宜素材で成型された、略U字全体横長板形状携帯端末用クリップ型スタンド本体に設けた、両挟止脚を支え支持する屈曲弾力部に対設された前記両挟止脚先端部に両鉤部を設け、両鉤部が互いに向き合い咬み合い折り重なるよう構成された、前記屈曲弾力部にコード巻回案内兼イヤホンを収納保持する切欠部を設け、更に携帯端末用クリップ型スタンド本体を一体成型したことを特徴とした携帯端末用クリップ型スタンド。
【請求項２】
請求項１記載の屈曲弾力部近傍の挟止脚面に、イヤホン部全体の挿入挿出が容易な位の大きさのイヤホン挿入孔を設け、前記イヤホン挿入孔より屈曲弾力部近傍に向かって一条のイヤホン保持切欠部を連設した事を特徴とした、請求項１記載の携帯端末用クリップ型スタンド。
【請求項３】
請求項１記載の両挟止脚両側面に、イヤホンコードを巻回収納する巻回凹部を設けた該巻回凹部面を除くクリップ型スタンド本体の適所に、イヤホンコードを挿入挟止保持できる、小クリップを設けた事を特徴とした請求項１、２記載の携帯端末用クリップ型スタンド。
【請求項４】
請求項１記載の両鉤部の外側に、重なる内側鉤部に係止小凸部又は係止小凹部を設け、更に内側に重なる外側鉤部に係止小凸部又は係止小凹部を設け両鉤部を係合係止させるよう構成するか、又、単独で両挟止脚のいずれか一方に係止小凸部か係止小凹部を設けた事を特徴とした、請求項１、２、３に記載の携帯端末用クリップ型スタンド。
【考案の詳細な説明】
【技術分野】
【０００１】
本考案は、携帯端末を両側面より挟止保持する携帯端末用クリップ型スタンドで、それに付随して使用される部品、例えばイヤホン及びコードを収納できる携帯端末用クリップ型スタンドに関する。
【背景技術】
【０００２】
携帯端末用スタンドは携帯端末用ケースに設置されたものや、携帯端末用スタンド台に載置して使用するものがあった。
他に登録実用新案登録第３１５１９００号公報。
（前記特許文献１）
実用新案登録第３１５３０５２号公報。
（前記特許文献２）
上記文献１、２共、携帯端末機用スタンドは、携帯端末の表示部前面下端を係止保持する凸部を設け、かつ係止保持する凸部後方には、携帯端末の傾斜角度を構成させる壁面を設けたものもある。
それらはスタンドに載置された携帯端末を使用目的に応じ携帯端末を操作しようとすると、スタンド部より抜け落ちたり外れたり等の諸問題があった。
【先行技術文献】
【特許文献】
【０００３】
【特許文献１】登録実用新案公報第３１５３０５２号公報
【特許文献２】登録実用新案公報第３１５１９００号公報
【考案の概要】
【考案が解決しようとする課題】
【０００４】
本考案は、前述のような従来技術の問題点を解決し、オーディオプレーヤー、携帯電話機、携帯パソコン等の複数種の携帯端末の側面の厚さと巾の異なる両側面を挟み、確実に挟止保持できる携帯端末用クリップ型スタンドを提供することを課題とする。
【課題を解決するための手段】
【０００５】
本考案は前述の課題を解決すべく、側面の厚さと巾の異なる携帯端末を、帯状の適度の弾力性と挟止力を有する携帯端末用クリップ型スタンド本体に、図１正面図に示すように、右横向略U字状携帯端末用クリップ型スタンド本体に設けた両挟止脚先端部に設けた両鉤部が、互いに向き合い咬み合い折り重なるように構成された、両鉤部に連設された両挟止脚を支え支持し設けられた屈曲弾力部からなる。
【０００６】
このように構成された携帯端末用クリップ型スタンド本体に設けられた、適度の挟止力ある両挟止脚先端部に設けられた両鉤部を開き、携帯端末の側面厚さと巾の異なる携帯端末の両側面を横長板状上、下両挟止脚先端部に設けた上、下両鉤部で携帯端末の両側面を挟止保持し、挟止保持した携帯端末をテーブル、机、畳等に載置すれば、両挟止脚先端部に設けた両鉤部が、互いに向き合い咬み合い折り重なるように構成された図４と図5に示すように、傾斜角θ１とθ２が得られると共に携帯端末を縦に載置すれば、図１２と図１３に示すように傾斜角θ３θ４が得られると共に、両鉤部を上下に移動することで携帯端末の表示部の傾斜角が幾通りも得られ、しかも確実に携帯端末を挟止保持した状態で、携帯端末の表示操作部又は操作キー等を操作しても、本考案携帯端末用クリップ型スタンドより抜け落ちたり、外れたりはしないことで課題を解決している。
【考案の効果】
【０００７】
本考案の携帯端末用クリップ型スタンドによれば、次の（１）〜（４）のような効果がある。
【０００８】
（１）携帯端末１の両側面の巾と厚さの異なる両側面を挟み挟止保持できる弾力性を有した携帯端末１用クリップ型スタンド本体２に構成された両挟止脚３、３a先端部に設けた図９に示す上、下両鉤部５、５aを上、下に開き携帯端末１両側面を挟み確実に挟止保持した携帯端末１の表示部Aを指等で操作しても、抜け落ちたり外れたりしない。
（２）又は携帯端末１用クリップ型スタンド本体２は、図４図５に示すように、図２に示された挟止脚３aより少し長い挟止脚３のため、二通りの携帯端末１の表示部Aの傾斜角θ１とθ２が得られる。更に、上記挟止保持された携帯端末1を縦に机、テーブル等に載置すれば、図１3図１4に示すように、傾斜角θ３、θ４とクリップ型スタンド本体２の鉤部５、５aを上、下に移動させることで、携帯端末１表示部Aの傾斜角が好みに応じ変化させることができる。
（３）クリップ型スタンド本体２の、不使用時の閉じた状態の図7と図８に示す両挟止脚３、３a内側に、携帯端末１の付属部品であるイヤホン１３を入れ、コード巻回案内兼イヤホン保持切欠部６で保持し、コード１２を図7と図８に示すように、クリップ型スタンド本体２に設けたコード巻回凹部７に巻回収納することにより、両挟止脚３、３a内側に収納したイヤホン１３は、コード巻回凹部７に巻回収納されたコード１２の巻回壁１２Aにかこまれて、クリップ型スタンド本体２の両挟止脚３、３aの内側に収納されたイヤホン１３は、クリップ型スタンド本体２より脱落することがなく、残りジャック１４近傍のコード１２を、図８に示すクリップ型スタンド本体２に設けた、小クリップ８のコード挿入挟止保持空間部９に挿入挟止保持し、携帯端末１と共に携帯できる携帯端末１用クリップ型スタンド本体２である。
（４）尚、携帯端末１用クリップ型スタンド本体２は簡便に使用でき、更に確実にスタンドとしての機能を有すると共に一体成型ができ、廉価に提供できる等の利便性をそなえる。
【図面の簡単な説明】
【０００９】
【図１】本考案の携帯端末用クリップ型スタンド本体に設けた両鉤部５、５aが上、下に開いた状態の略U字状の正面図である。
【図２】同閉じた状態の正面図である。
【図３】同閉じた状態の背面図である。
【図４】携帯端末を両鉤部で挟止保持した使用状態を示す正面図である。
【図５】同使用状態を示す図４の反転図である。
【図６】本考案の平面図である。
【図７】同一部使用状態を示す平面図である。
【図８】同一部使用状態を示す正面図である。
【図９】同携帯端末を両鉤部で挟止保持した使用状態を示す斜視図である。
【図１０】本考案の閉じた状態の右側面図である。
【図１１】同左側面図である。
【図１２】同携帯端末を縦にして使用状態を示す平面図である。
【図１３】同上使用状態を示す平面図である。
【図１４】図６におけるGーG線とG1ーG1両線で小クリップ部分をカットした拡大断面図である。
【図１５】本考案の第２実施例の底面図である。
【図１６】同第２実施例の一部使用状態を示す底面図である。
【図１７】同第２実施例の左側面図である。
【考案を実施するための形態】
【００１０】
本考案を実施するための形態について図１〜図１７を用いて詳細に説明する。
【００１１】
１は携帯端末。
Aは表示部。
２は弾力性あるプラスチック、合成ゴム、金属等適宜素材の図６平面図に示すように、全体が横長の板状で、又図１正面図に示すように、右横向略U字板状の携帯端末１用クリップ型スタンド本体。
３は該クリップ型スタンド本体２に設けた横長の板状の挟止脚。
３aは該挟止脚３に対向して設けた挟止脚３より僅かに短い同上板状挟止脚。
４は両挟止脚３、３aに連設支持する屈曲弾力部。
５は携帯端末１の両側面の一面を挟止保持する挟止脚３先端部に設けた板状の鉤部。
５aは上記挟止脚３a先端部に設けた、同板状前記鉤部５の内側に入り込み、咬み合い折り重なるして設けた鉤部。尚、上記鉤部５内側に沿って係止小凸部Cを設け、又、同鉤部５a外側に沿って係止小凹部Bを設けて、両鉤部５、５aを互いに向き合わせ係合係止させる。又、両鉤部５、５aの鉤部５内側に逆に係止小凹部Bを設け、又、逆に鉤部５a外側に係止小凸部Cを設け係合係止させることもある。更に、図１に示すように、鉤部５の内側に設けた係止小凸部Cと、鉤部５a外側に設けた係止小凹部Bのどちらか一方を、両鉤部５、５aのいずれか一方に設けることもある。
６は図１１と図８に示すクリップ型スタンド本体２の前記屈曲弾力部４右端一方か、又は左、右両端より中央部に向かって中央部近辺を残して設けたコード巻回案内兼イヤホン保持切欠部。
７は図６に示すコード１２を、クリップ型スタンド２本体の横長方向の両挟止脚３、３aに沿って、両挟止脚両側面に設けたコード１２を巻回収納する凹部。
８は前記屈曲弾力部４近傍に設けたコード１２を挿入挟止保持する小クリップ。
９は小クリップに設けたコード挿入挟止保持空間部。
１０は屈曲弾力部４近傍の両挟止脚３か３aに設けたイヤホン挿入孔。
１１は屈曲弾力部４近傍よりイヤホン挿入孔に向かって連設された一条のイヤホン保持切欠部。
１２はコード。
１２Aはコード巻回壁
１３はイヤホン。
１４はジャック。
Bは係止小凹部
Cは係止小凸部。
Dは載置面。
θ１、θ２、θ３、θ４は傾斜角度。
【実施例１】
【００１２】
本考案は上述のように構成されているので、図４図５に示すよう弾力性ある板状横長の携帯端末１用クリップ型スタンド本体２に設けた両挟止脚３、３a両板状先端部に、両鉤部５、５aを設けたクリップ型スタンド本体２の両鉤部５、５aを上下に開き、携帯端末１の表示部Aを外側になるよう両側面端縁を、両鉤部５、５aで挟み挟止保持することで挟止保持された、携帯端末１の表示部Aの傾斜角図４に示すθ１と、図５に示す傾斜角θ２は、図４の反転図で示すとおり、上記両挟止脚３、３aの僅かな挟止脚長短の差により二通りの傾斜角が得られ、しかも携帯端末１の側面の厚さと横巾が異なる携帯端末１でも挟止保持できる、携帯端末１用クリップ型スタンド本体２である。
【００１３】
更にクリップ型スタンド本体２の不使用時は、携帯端末１に付随する部品、例えば図７と図８に示すように、イヤホン１３をクリップ型スタンド本体２に設けられた両挟止脚３、３aの内側に入れ屈曲弾力部４に設けられたコード巻回案内兼イヤホン保持切欠部６の内側に収納保持し、コード１２をコード巻回案内兼イヤホン保持切欠部４よりコード１２を案内し、コード巻回凹部７に巻回収納し、図７に示すようにジャック１４近傍のコード１２を上記屈曲弾力部４近傍に設けた小クリップ８のコード挿入挟止保持空間部９に挿入挟止保持すれば、ジャック１４もクリップ型スタンド本体２に収納することができ、尚クリップ型スタンド本体２は一体成型ができるので、製造コストの安価な使用上簡便な使い易い携帯端末１用クリップ型スタンド本体２である。
【実施例２】
【００１４】
上記クリップ型スタンド本体２の両挟止脚３、３aを支え支持する屈曲弾力部近傍の両挟止脚３、３aの双方か、又は一方に設けた図１６に示すように、イヤホン１３部全体の挿入挿出が容易な位の大きさの楕円状、長方形状等、任意形状のイヤホン挿入孔１０にイヤホン１３を挿入し、図１５図１６に示すように、イヤホン挿入孔１０より前記屈曲弾力部４近傍に向かって一条のイヤホン保持切欠部１１を連設し、そこにイヤホン１３を保持し、図７図８に示すようにコード１２をコード巻回案内兼イヤホン保持切欠部６より案内し、両挟止脚３、３a両側面に設けたコード巻回凹部７に巻回収納し、ジャック１４近傍のコード１２を屈曲弾力部４近傍に設けた小クリップ８に設けたコード挿入挟止保持空間部９に挿入挟止保持。以下詳細は実施例１と図４、５、９、１２、１３に示すとおりである。
【符号の説明】
【００１５】
１  携帯端末
A  表示部
２  クリップ型スタンド本体
３、３a  両挟止脚
４  屈曲弾力部
５、５a  両鉤部
６  コード巻回案内兼イヤホン保持切欠部
７  コード巻回凹部
８  小クリップ
９  コード挿入挟止保持空間部
１０  イヤホン挿入孔
１１  イヤホン保持切欠部
１２  コード
１２A コード巻回壁
１３  イヤホン
１４  ジャック
B  係止小凹部
C  係止小凸部
D  載置面
θ１、θ２、θ３、θ４  傾斜角
【図１】
0003166290.tif 000003
【図２】
0003166290.tif 000004
【図３】
0003166290.tif 000005
【図４】
0003166290.tif 000006
【図５】
0003166290.tif 000007
【図６】
0003166290.tif 000008
【図７】
0003166290.tif 000009
【図８】
0003166290.tif 000010
【図９】
0003166290.tif 000011
【図１０】
0003166290.tif 000012
【図１１】
0003166290.tif 000013
【図１２】
0003166290.tif 000014
【図１３】
0003166290.tif 000015
【図１４】
0003166290.tif 000016
【図１５】
0003166290.tif 000017
【図１６】
0003166290.tif 000018
【図１７】
0003166290.tif 000019